(57)【要約】【課題】滑りレール付き自動閉合装置の提供。【解決手段】一種の滑りレール付き自動閉合装置、該自動閉合滑り駒固定台の収容溝は、第１、第２、第３溝より構成される多段式の屈折状溝であり、第３溝の前側は、さらにバネの他端と固定することにより、収容溝に収納するバネの他端は自動閉合滑り駒と連動し、より自動閉合滑り駒固定台の後側に近づける。これに対して、自動閉合滑り駒と連動する内滑りレールに連動するとき後側に摺動する行程を長くできる。よって、本考案による自動閉合装置は空間と取らないばかりでなく、内滑りレールと引出し自動閉合の行程を長くできるため、利用者に省力化を提供できるほか、不注意により引出しを自動閉合の行程に押し込まれたとき、該引出しを開放する距離は長くなるため、利用者はすぐに気づいて、引出しの閉合を再び操作できる。引出しの収容物を人の目に触れるや開放したままの引出しによるけがを防止できるほか、構成要素の簡素化及び組み立て便利の長所を有する。【選択図】図８
0003125515.tif 000002
【実用新案登録請求の範囲】
【請求項１】
滑りレールは外滑りレール、中層滑りレール、内滑りレール、外滑りレールと中層滑りレールの間に挟まれる第１鋼球摺動片及び中層滑りレールと内滑りレールの間に挟まれる第２鋼球摺動片などの構成要素より構成され、前記外滑りレールは事務机、勉強机、コンピュータデスク、置物キャビネット、冷蔵庫などのキャビネット体に備える引出し収容空間の内側壁の所定場所に設け、内滑りレールは引出しの側壁に締め付け、引出しの引出し、引き戻しに備え、該引出しは固定された内滑りレールと合せて、取り外して取り出すことができ、
該中層滑りレール外側の開口部に上部係止部材を設け、該上部係止部材に突起塊を突き出して設け、内滑りレールに備える締結シートと締結または引き離し、
該内滑りレールに締結シートを設け、中層滑りレールに備える上部係止部材と締結または引き離し、
該自動閉合装置はさらに、支え部材、自動閉合滑り駒自動閉合滑り駒固定台を含み、自動閉合滑り駒は滑り棒を具なえ、自動閉合滑り駒固定台の滑り溝に挿入し、該滑り棒はばねの一端に固定し、さらに固定溝を設け、該固定溝の後側に幅の広い支え壁を設け、その前側に狭い固定壁を設け、その端の下方先端部に係止部材を設け、
自動閉合滑り駒固定台は外滑りレール後側の内面に設け、その上部に滑り溝を設け、その下部にばねを収容する収容溝を設け、該収容溝の一端に固定溝を設けて、ばねの他端の固定に備え、該自動閉合滑り駒固定台の先端部に引き込んで係止め溝を設けて、自動閉合滑り駒先端部の係止部材の係止めに備え、
該自動閉合滑り駒固定台の下部に備える収容溝は滑り溝下部の第１溝および第１溝の後側に屈折し延ばして第２溝を設け、該第２溝の一端はさらに、前方向に屈折し延ばして第３溝を設け、該第３溝の前側に前記の固定溝を設けて、ばねの他端の固定に備え、前記の滑り溝の前側に大きい切欠きを設け、該第１溝後側と隣接した側壁に係止め部を設け、該自動閉合滑り駒固定台の後側に係止部材を設けて、自動閉合滑り駒の後側端部を係止め、  該自動閉合滑り駒の下部に滑り棒を設け、該滑り棒の下部はさらに固定塊を設け、該滑り棒は自動閉合滑り駒固定台に備える滑り溝の大きい切欠きより挿入することにより、自動閉合滑り駒は滑り棒を介して、該自動閉合滑り駒固定台の滑り溝において往復摺動、該滑り棒の固定塊は滑り溝底部両側の壁面により、その往復の摺動をより安定させ、該滑り棒が滑り溝より抜け出すことを防止でき、該滑り棒の下端は、前記ばねの一端の固定に備え、
該支え部材は内滑りレールの側壁の前側に切欠きを設け、該内滑りレール先端部に設ける特徴を有する、一種の滑りレール付き自動閉合装置。
【請求項２】
該自動閉合滑り駒固定台先端の下部は挿入シートを設け、該自動閉合滑り駒固定台の底部はさらに複数の挿入部材を設け、外滑りレールの後側はこれに合せて、固定溝の固定塊及び複数の固定孔を設けて、該自動閉合滑り駒固定台は挿入シートを外滑りレールの固定溝に挿入した上、複数の挿入部材は外滑りレールの固定孔に合せて挿入し、組み立て作業を素早く完成できることを特徴とする請求項１記載の滑りレール付き自動開閉装置。
【請求項３】
該自動閉合滑り駒固定台後側に設ける係止部材は傾斜度を設け、その前後部ともくり抜き空間を設け、自動閉合滑り駒の後側も傾斜部を設けて、自動閉合滑り駒を後側に摺動して係止部材によって係止めたときに、より良い緩衝効果を提供できるほか、自動閉合滑り駒を自動閉合滑り駒固定台の後側により近づけることにより、内滑りレールの後側に摺動する行程を長くすることを特徴とする請求項１記載の滑りレール付き自動開閉装置。
【考案の詳細な説明】
【技術分野】
【０００１】
本考案は一種の滑りレール付き自動閉合装置に関わるものである。体積が小さく、スペースを取らないほか、自動閉合の行程が長く、構成要素の簡素化及び組み立て便利の長所を有する。
【背景技術】
【０００２】
従来の滑りレールに備える自動閉合装置は、その自動閉合の行程をより大きく取るため、体積が大きくなり、大きいスペースを取ってしまう。本考案者は（特許文献１）（図１〜図６を参照する）において、開示された自動閉合装置は実用性を有するほか、スペースを取らない長所がある。
【０００３】
しかしながら、以下に挙げる完備されていない点が存在している、
１．ばね８（図２、図３）は滑り駒９１に連動して、自動閉合滑り駒固定台９２の後側に摺動する行程がやや足りない。使用するとき、引出し（図示していない）と内滑りレール９３を戻すとき、内滑りレール９３に固定された支え部材９３１の支え棒９３１１（図４、図６）を滑り駒９１に支えておかないと、自動閉合機能を持たないため、引出しの自動復帰ができない。さらに、自動閉合の行程が短いため、引出しの出っ張りも少ない。利用者が気づかないままに、引出しの収容物は他人に見られる。一方、完全に戻されていない引出しは、利用者または第三者にぶつかる恐れがある。なお、その引出しは冷蔵庫に設けたとき、引出しに保存された食品の鮮度維持ができなく、腐ってしまう可能性がある、
２．外滑りレール９４に当接部材９４１および二つの挿入部材９４２、９４３（図２）をプレース加工し、固定フレーム９２１と二つの挿入部材９２２、９２３を取り付けた自動閉合滑り駒９２と組み合わせて固定するため、組合せるとき、照準する作業が煩雑であり、手間と時間が非常に掛かる、
３．内滑りレール９３はさらに、固定部材９３０により、支え部材９３１をその前面に固定し、該支え部材９３１は新たに金型を引き起こして生産の必要がある。また、支え部材９３１は挿入部材９３１２の内滑りレール９３に挿入するため、取付溝９３２（図４）を設ける必要がある。構成要素が多いほか、組合せコストも高くなる。
【０００４】
本考案者は前記した欠点を鑑みて、絶えずに研究と改良を繰り返した結果、本考案による一種の滑りレール付き自動閉合装置を考案した。
【０００５】
【特許文献１】中華人民共和国特許第ＺＬ０２２８７４９６．８号明細書
【考案の開示】
【考案が解決しようとする課題】
【０００６】
自動閉合滑り駒固定台の収容溝は、第１、第２、第３収容溝より構成された多段式の曲がり溝である。そのうち、第３溝はばねの他端に固定することにより、収容溝に収容されたばねの他端は自動閉合滑り駒に連動し、自動閉合滑り駒固定台の後側により近づけて、自動閉合滑り駒が内滑りレールに連動し後側に摺動する行程を長くできる。つまり、本考案の自動閉合装置はスペースを取らない前提において、内滑りレールが引出しに連動し、自動閉合の行程を長くできる。これにより、利用者の不注意により、引出しを自動閉合の行程に戻していても、該引出しを引き出す距離が長いため、すぐに気づかれて、引出しを戻すことができる。よって、引出しの収容物の剥き出しや締め切っていない引出しが第三者にぶつかって、けがを防止できる、一種の滑りレール付き自動閉合装置を提供することを本考案の主な目的とする。
【０００７】
構成要素の簡素化と組み立て便利の特長を図るため、該自動閉合滑り駒固定台は、挿入シートを外滑りレールの固定溝に挿入した上、挿入部材を外滑りレールに備える固定孔を照準し挿入することにより、素早く、かつ、容易に組み立てできる。該外滑りレールに固定溝と固定孔をプレース加工するだけで、製造コストを軽減できる。一方、該支え部材はプレース加工により、内滑りレール内部に成型する。これにより、支え部材の組み立て時間と構成要素のコスト軽減を図る、一種の滑りレール付き自動閉合装置を提供することを本考案の次の目的とする。
【課題を解決するための手段】
【０００８】
請求項１の考案は滑りレールは外滑りレール、中層滑りレール、内滑りレール、外滑りレールと中層滑りレールの間に挟まれる第１鋼球摺動片及び中層滑りレールと内滑りレールの間に挟まれる第２鋼球摺動片などの構成要素より構成され、前記外滑りレールは事務机、勉強机、コンピュータデスク、置物キャビネット、冷蔵庫などのキャビネット体に備える引出し収容空間の内側壁の所定場所に設け、内滑りレールは引出しの側壁に締め付け、引出しの引出し、引き戻しに備え、該引出しは固定された内滑りレールと合せて、取り外して取り出すことができ、
該中層滑りレール外側の開口部に上部係止部材を設け、該上部係止部材に突起塊を突き出して設け、内滑りレールに備える締結シートと締結または引き離し、
該内滑りレールに締結シートを設け、中層滑りレールに備える上部係止部材と締結または引き離し、
該自動閉合装置はさらに、支え部材、自動閉合滑り駒自動閉合滑り駒固定台を含み、自動閉合滑り駒は滑り棒を具なえ、自動閉合滑り駒固定台の滑り溝に挿入し、該滑り棒はばねの一端に固定し、さらに固定溝を設け、該固定溝の後側に幅の広い支え壁を設け、その前側に狭い固定壁を設け、その端の下方先端部に係止部材を設け、
自動閉合滑り駒固定台は外滑りレール後側の内面に設け、その上部に滑り溝を設け、その下部にばねを収容する収容溝を設け、該収容溝の一端に固定溝を設けて、ばねの他端の固定に備え、該自動閉合滑り駒固定台の先端部に引き込んで係止め溝を設けて、自動閉合滑り駒先端部の係止部材の係止めに備え、
該自動閉合滑り駒固定台の下部に備える収容溝は滑り溝下部の第１溝および第１溝の後側に屈折し延ばして第２溝を設け、該第２溝の一端はさらに、前方向に屈折し延ばして第３溝を設け、該第３溝の前側に前記の固定溝を設けて、ばねの他端の固定に備え、前記の滑り溝の前側に大きい切欠きを設け、該第１溝後側と隣接した側壁に係止め部を設け、該自動閉合滑り駒固定台の後側に係止部材を設けて、自動閉合滑り駒の後側端部を係止め、  該自動閉合滑り駒の下部に滑り棒を設け、該滑り棒の下部はさらに固定塊を設け、該滑り棒は自動閉合滑り駒固定台に備える滑り溝の大きい切欠きより挿入することにより、自動閉合滑り駒は滑り棒を介して、該自動閉合滑り駒固定台の滑り溝において往復摺動、該滑り棒の固定塊は滑り溝底部両側の壁面により、その往復の摺動をより安定させ、該滑り棒が滑り溝より抜け出すことを防止でき、該滑り棒の下端は、前記ばねの一端の固定に備え、
該支え部材は内滑りレールの側壁の前側に切欠きを設け、該内滑りレール先端部に設ける特徴を有する、一種の滑りレール付き自動閉合装置としている。
請求項２の考案は、該自動閉合滑り駒固定台先端の下部は挿入シートを設け、該自動閉合滑り駒固定台の底部はさらに複数の挿入部材を設け、外滑りレールの後側はこれに合せて、固定溝の固定塊及び複数の固定孔を設けて、該自動閉合滑り駒固定台は挿入シートを外滑りレールの固定溝に挿入した上、複数の挿入部材は外滑りレールの固定孔に合せて挿入し、組み立て作業を素早く完成できることを特徴とする請求項１記載の滑りレール付き自動開閉装置としている。
請求項３の考案は、該自動閉合滑り駒固定台後側に設ける係止部材は傾斜度を設け、その前後部ともくり抜き空間を設け、自動閉合滑り駒の後側も傾斜部を設けて、自動閉合滑り駒を後側に摺動し係止部材によって係止めたときに、より良い緩衝効果を提供できるほか、自動閉合滑り駒を自動閉合滑り駒固定台の後側により近づけることにより、内滑りレールの後側に摺動する行程を長くすることを特徴とする請求項１記載の滑りレール付き自動開閉装置としている。
【考案の効果】
【０００９】
本考案は以下の向上効果を有する、
１．自動閉合滑り駒固定台６の収容溝６２は、第１、第２、第３収容溝６２１、６２２、６２３より構成された多段式の曲がり溝である。そのうち、第３溝６２３はばね４の他端４９に固定することにより、収容溝６２に収容されたばね４の他端４２は自動閉合滑り駒５に連動し、自動閉合滑り駒固定台６の後側により近づけて、自動閉合滑り駒５は内滑りレール１に連動し後側に摺動する行程を長くできる。つまり、本考案の自動閉合装置はスペースを取らない前提において、内滑りレール１が引出し（図示していない）に連動し、自動閉合の行程を長くできる。これにより、利用者の不注意により、引出しを自動閉合の行程に戻していても、該引出しを引き出す距離が長いため、すぐに気づかれて、引出しを戻すことができる。よって、引出しの収容物の剥き出しや締め切っていない引出しが第三者にぶつかって、けがを防止できる、
２．構成要素の簡素化及び組み立て作業便利の長所により、自動閉合滑り駒固定台６は挿入シート６６を外滑りレール２の固定溝２１１に挿入した上、挿入部材６７、６８は外滑りレール２の固定孔２２２、２２３に合せて挿入し、組み立てを素早く完成する。さらに、外滑りレール２に固定溝２１１と固定孔２２２、２２３をプレース加工することにより、製造コストの軽減を図る。なお、支え部材１１はプレース加工により、内滑りレール１に一体化成型し、支え部材１１の組み立て時間と部品のコストを軽減できる。
【考案を実施するための最良の形態】
【００１０】
図７〜図１７に示すものは、本考案による滑りレール付き自動閉合装置である。そのうち、該滑りレールは外滑りレール２、中層滑りレール７、内滑りレール１、外滑りレール２と中層滑りレール７の間に挟まれる第１鋼球摺動片（図示していない）及び中層滑りレール７と内滑りレール１の間に挟まれる第２鋼球摺動片８などの構成要素より構成する。そのうち、外滑りレール２は事務机、勉強机、コンピュータデスク、置物キャビネット、冷蔵庫などのキャビネット体（図示していない）に備える引出し収容空間の内側壁の所定場所（図示していない）に設け、内滑りレール１は引出し（図示していない）の側壁に締め付けて、引出しの引出し、引き戻しに備える。さらに、該引出しは固定された内滑りレール１と合せて、取り外して取り出すことができる。
【００１１】
そのうち、該中層滑りレール７外側の開口部に上部係止部材７１を設け、該上部係止部材７１に突起塊７１２を突き出して設け、内滑りレール１に備える締結シート１２（図９）と締結または引き離す。該滑りレール１に締結シート１２を設け、中層滑りレール７に備える上部係止部材７１と締結または引き離す。
【００１２】
該自動閉合装置はさらに、支え部材１１を設け、自動閉合滑り駒５を設け、滑り棒５１を自動閉合滑り駒固定台６の滑り溝６１に挿入し、該滑り棒５１はばね４の一端４１に固定する。さらに、他端に固定溝５２を設け、該固定溝５２の後側に幅の広い支え壁５２１（図１６）を設け、その前側に狭い固定壁５２２を設ける。その端の下方先端部に係止部材５４を設ける（図１３）。
【００１３】
自動閉合滑り駒固定台６を外滑りレール２後側の内面に設ける。その上部に滑り溝６１を設け、その下部にばね４を収容する収容溝６２（図１３）を設ける。該収容溝６２の一端に固定溝６２３４を設けて、ばね４の他端４２の固定に備える。さらに、該自動閉合滑り駒固定台６の先端部に引き込んで係止め溝６５を設けて、自動閉合滑り駒５先端部の係止部材５４の係止めに備える。
【００１４】
その特徴は、該自動閉合滑り駒固定台６の下部に備える収容溝６２は滑り溝６１下部の第１溝６２１および第１溝６２１の後側に屈折し延ばして第２溝６２２を設け、該第２溝６２２の一端はさらに、前方向に屈折し延ばして第３溝６２３を設ける。該第３溝６２３の前側に前記の固定溝６２３１を設けて、ばね４の他端４２の固定に備える。なお、前記の滑り溝６１の前側に大きい切欠き６１１を設け、該第１溝６２１後側と隣接した側壁に係止め部６２１１を設ける。該自動閉合滑り駒固定台６の後側に係止部材６３を設けて、自動閉合滑り駒５の後側端部５５を係止める。
【００１５】
該自動閉合滑り駒５の下部に滑り棒５１を設け、該滑り棒５１の下部はさらに、固定塊５１１を設け、該滑り棒５１は自動閉合滑り駒固定台６に備える滑り溝６１の大きい切欠き６１１より挿入することにより、自動閉合滑り駒５は滑り棒５１を介して、該自動閉合滑り駒固定台６の滑り溝６１において往復に摺動し、該滑り棒５１の固定塊５１１は滑り溝６１底部両側の壁面６１０により、その往復の摺動をより安定させ、該滑り棒５１が滑り溝６１より抜け出すことを防止できる。さらに、該滑り棒５１の下端５１０は、前記のばね４の一端４１の固定に備える。
【００１６】
該支え部材１１は、内滑りレール１の側壁１０の前側に切欠き１０１を設け、該内滑りレール１先端部に設ける。
【００１７】
前記構成要素の組み合わせにより、引出し（図示していない）は内滑りレール１と合せて、後側に摺動した後、該内滑りレール１に備える支え部材４１の前側１１１により、自動閉合滑り駒５に備える固定溝５２の後側と隣接した支え壁５２１によって係止められ、該自動閉合滑り駒５を外側に旋転させると共に、内滑りレール１の支え部材１１を該固定溝５２に落として、該自動閉合滑り駒５の係止部材５４は自動閉合滑り駒固定台６先端部の係止め溝６５を離した後、ばね４の力により、該自動閉合滑り駒５及びその固定溝５２に挿入した内滑りレール１の支え部材１１と合せて、自動的後側摺動する。該自動閉合滑り駒５の後側端部５５は自動閉合滑り駒固定台６後側の係止部材６３によって係止められたとき（図１７、図１８）、自動閉合滑り駒５の滑り棒５１に備える固定塊５１１の一端５１１１は第１溝６２１に隣接した側壁後側の係止め部６２１１により係止めて固定し（図１８）、固定の補助効果を有する。一方、引出しは前側に引き出されるとき、内滑りレール１と合せて前側に摺動し、支え部材１１の後側１１２は自動閉合滑り駒５を連動して前側に摺動する。そこで、自動閉合滑り駒５の係止部材５４は自動閉合滑り駒固定台６先端部に摺動し、係止め溝６５に入いたとき、該係止部材５４はその勢いでやや内側に旋転して、該自動閉合滑り駒５の係止部材５４を自動閉合滑り駒固定台６先端部の係止め溝６５に係止める状態に戻す（図１５、図１６）。
【００１８】
前記した自動閉合滑り駒固定台６先端の下部はさらに挿入シート６６を設け、該自動閉合滑り駒固定台６の底部は複数の挿入部材６７、６８（図１３）を設ける。外滑りレール２の後側に固定溝２１１を備えた固定塊２１と複数の固定孔２２２、２２３を設けることにより、該自動閉合滑り駒固定台６の挿入シート６６を外滑りレール２の固定溝２１１に挿入してから複数の挿入部材６７、６８は外滑りレール２の固定孔２２、２２３に合せて挿入し、組み立て作業を素早く完成する。
【００１９】
前記した自動閉合滑り駒固定台６後側の係止部材６３は傾斜度を設け、前後部ともくり抜き空間６３１、６３２を設ける。一方自動閉合滑り駒５の後側端部５５も傾斜部を設け、自動閉合滑り駒５は後側に摺動し係止部材６３に係止められて、より良い緩衝効果を実現する。その上、自動閉合滑り駒５を自動閉合滑り駒固定台６の後側により接近することにより、内滑りレール１の後部摺動の行程を長くする。
【００２０】
図１９に示すとおり、前記ばね４’の一端４１’はネック部を設け、自動閉合滑り駒５’に備える滑り棒５１’の下端５１０’はばね４’一端４１’のネック部を固定するための固定溝５１０１’を設ける。
【００２１】
前記に説明したとおり、本考案は以下の向上効果を有する、
１．自動閉合滑り駒固定台６の収容溝６２は、第１、第２、第３収容溝６２１、６２２、６２３より構成された多段式の曲がり溝である。そのうち、第３溝６２３はばね４の他端４９に固定することにより、収容溝６２に収容されたばね４の他端４２は自動閉合滑り駒５に連動し、自動閉合滑り駒固定台６の後側により近づけて、自動閉合滑り駒５は内滑りレール１に連動し後側に摺動する行程を長くできる。つまり、本考案の自動閉合装置はスペースを取らない前提において、内滑りレール１が引出し（図示していない）に連動し、自動閉合の行程を長くできる。これにより、利用者の不注意により、引出しを自動閉合の行程に戻していても、該引出しを引き出す距離が長いため、すぐに気づかれて、引出しを戻すことができる。よって、引出しの収容物の剥き出しや締め切っていない引出しが第三者にぶつかって、けがを防止できる、
２．構成要素の簡素化及び組み立て作業便利の長所により、自動閉合滑り駒固定台６は挿入シート６６を外滑りレール２の固定溝２１１に挿入した上、挿入部材６７、６８は外滑りレール２の固定孔２２２、２２３に合せて挿入し、組み立てを素早く完成する。さらに、外滑りレール２に固定溝２１１と固定孔２２２、２２３をプレース加工することにより、製造コストの軽減を図る。なお、支え部材１１はプレース加工により、内滑りレール１に一体化成型し、支え部材１１の組み立て時間と部品のコストを軽減できる。
【図面の簡単な説明】
【００２２】
【図１】特許文献１による内滑りレールの分解状態の立体図である。
【図２】特許文献１による一部構成要素の分解状態の立体図である。
【図３】特許文献１による内滑りレールと支え部材の別角度の立体分解図である。
【図４】特許文献１による内滑りレールと支え部材の別角度の立体組合せ図である。
【図５】特許文献１による支え部材の立体拡大図である。
【図６】特許文献１による内滑りレールに備える支え部材が滑り駒に支えられていない部分の断面概略図である。
【図７】本考案の好ましい例における内滑りレールの組合せ前の立体図である。
【図８】本考案の好ましい実施例における立体組合せ図である。
【図９】本考案の好ましい実施例における内滑りレールの支え部材が組み込まれた別角度の立体図である。
【図１０】本考案の好ましい実施例における自動閉合滑り駒固定台、自動閉合滑り駒、バネと外滑りレールが組合せる前の立体図である。
【図１１】本考案の好ましい実施例における自動閉合滑り駒固定台、自動閉合滑り駒、バネと外滑りレール組合せる前の立体分解拡大図である。
【図１２】本考案の好ましい実施例における自動閉合滑り駒固定台、自動閉合滑り駒、バネと外滑りレールの立体拡大図である。
【図１３】本考案の好ましい実施例における自動閉合滑り駒固定台、自動閉合滑り駒とバネの別角度の立体分解拡大図である。
【図１４】本考案の好ましい実施例における自動閉合滑り駒固定台、自動閉合滑り駒とバネの別角度の立体拡大図である。
【図１５】本考案の好ましい実施例における内滑りレールに備える支え部材が自動閉合滑り駒に支えられていないときの平面概略図である。
【図１６】本考案図１５の局部底面視の平面概略図である。
【図１７】本考案の好ましい実施例における内滑りレールの自動閉合した後の平面概略図である。
【図１８】本考案図１７の部分構成要素の局部底面概略図である。
【図１９】本考案の好ましい実施例における形状がやや異なるバネと自動閉合滑り駒との立体分解図である。
【符号の説明】
【００２３】
４、４’、８  ばね
９１  滑り塊
９２  滑り駒固定台
９３  内滑りレール
９３１  支え部材
９３２  取付溝
９３１１  支え棒
９４  滑りレール
９４１  当接部材
９２２、９２３、９４２、９４３、９３１２  挿入部材
９２１  固定フレーム
９３０  固定部材
１１、９３１  支え部材
１  内滑りレール
１０  側壁
１０１  切欠き
１１１  前側
１１２  後側
１２  締結シート
２  外滑りレール
２１、５１１  固定塊
２１１、５２、５１０１、６２３１、６２３４  固定溝
２２２、２２３  固定孔
４１、４１’  一端
４２  他端
５、５’  自動閉合滑り駒
５１、５１’  滑り棒
５１０、５１０’  下端
５２１  支え壁
５２２  固定壁
５４、６３  係止部材
５５  後側端部
６  滑り駒固定台
６１  滑り溝
６１０  壁面
６１１  大きい切欠き
６２  収容溝
６２１  第１溝
６２１１  係止め部
６２２  第２溝
６２３  第３溝
６３１、６３２  くり抜き空間
６５  係止め溝
６６  挿入シート
６７、６８  挿入部材
７  中層滑りレール
７１２  突起塊
７１  上部係止部材
８  第２鋼球摺動片
【図１】
0003125515.tif 000003
【図２】
0003125515.tif 000004
【図３】
0003125515.tif 000005
【図４】
0003125515.tif 000006
【図５】
0003125515.tif 000007
【図６】
0003125515.tif 000008
【図７】
0003125515.tif 000009
【図８】
0003125515.tif 000010
【図９】
0003125515.tif 000011
【図１０】
0003125515.tif 000012
【図１１】
0003125515.tif 000013
【図１２】
0003125515.tif 000014
【図１３】
0003125515.tif 000015
【図１４】
0003125515.tif 000016
【図１５】
0003125515.tif 000017
【図１６】
0003125515.tif 000018
【図１７】
0003125515.tif 000019
【図１８】
0003125515.tif 000020
【図１９】
0003125515.tif 000021